(57)【要約】【課題】除染廃棄物仮置き場に敷かれた遮水シート・保護マットを人力によることなく自走して効率よく切断していくことが可能な自走式遮水シート・保護マット切断装置を提供する。【解決手段】自走しながら除染廃棄物仮置き場に敷かれた遮水シート・保護マットＳを切断していく自走式遮水シート・保護マット切断装置であって、自走式遮水シート・保護マット切断装置が、クローラ３で自走する車体１と、リンク機構４により上下方向に回動可能に車体１の前部に枢着支持される遮水シート・保護マット切断装置２からなり、遮水シート・保護マット切断装置２が、駆動装置８で遮水シート・保護マットＳの切断方向に回転する回転刃９と、遮水シート・保護マットＳの切断中に遮水シート・保護マットＳを上から押さえる押さえ部材１０を備えている。【選択図】図１
2019072830.tif 000002
【特許請求の範囲】
【請求項１】
除染廃棄物仮置き場に敷かれた遮水シート・保護マットを遮水シート・保護マット切断装置の回転刃を回転させて切断する遮水シート・保護マット切断方法であって、前記遮水シート・保護マットを前記切断刃の両側で押さえるとともに、前記回転刃を前記遮水シート・保護マットの切断方向に回転させて前進させながら前記遮水シート・保護マットを切断していくことを特徴とする遮水シート・保護マット切断方法。
【請求項２】
自走しながら除染廃棄物仮置き場に敷かれた遮水シート・保護マットを切断していく自走式遮水シート・保護マット切断装置であって、
前記自走式遮水シート・保護マット切断装置が、クローラで自走する車体と、上下方向に回動可能に前記車体の前部に枢着支持される遮水シート・保護マット切断装置からなり、
前記遮水シート・保護マット切断装置が、駆動装置で前記遮水シート・保護マットの切断方向に回転する回転刃と、前記遮水シート・保護マットの切断中に前記遮水シート・保護マットを上から押さえる押さえ部材を備えていることを特徴とする自走式遮水シート・保護マット切断装置。
【請求項３】
前記遮水シート・保護マット切断装置は、リンク機構により上下方向に回動可能に前記車体の前部に支持され、
前記リンク機構が前記車体に立設されたシリンダーのピストンロッドに結合され、前記車体と前記遮水シート・保護マット切断装置に連結されるとともに、前記遮水シート・保護マット切断装置を回動させて前記回転刃が前記遮水シート・保護マットを切断する高さに前記遮水シート・保護マット切断装置を回動させるリンク機構であることを特徴とする請求項２に記載の自走式遮水シート・保護マット切断装置。
【請求項４】
前記押さえ部材は、前記回転刃が入って回転可能な長孔を有することを特徴とする請求項２又は３に記載の自走式遮水シート・保護マット切断装置。
【発明の詳細な説明】
【技術分野】
【０００１】
本発明は、除染廃棄物を保管する除染廃棄物仮置き場に敷かれている遮水シート・保護マットを除去する際に、自走しながら遮水シート・保護マットを切断していく遮水シート・保護マット切断方法及び自走式遮水シート・保護マット切断装置に関する。
【背景技術】
【０００２】
福島原発事故によって東日本の広範囲が放射性物質によって汚染されたために除染が実施された。この除染により発生した除染土壌等の除染廃棄物を除染廃棄物専用フレコンバッグに充填し、このフレコンバッグを空き地や耕作地等に設けた除染廃棄物仮置き場に一時的に保管している。除染廃棄物仮置き場は、放射性物質が漏れるのを防止するために地面に遮水シート・保護マットを敷き、その上に除染廃棄物を充填したフレコンバッグを積み重ねて保管している〈特許文献1〜３参照〉。除染廃棄物仮置き場では、遮水シートの損傷を防ぐため、遮水シートの表面に保護土や保護マットが設けられ、裏面に保護マットが設けられている。
【０００３】
フレコンバッグを除染廃棄物仮置き場から中間貯蔵施設へ移送した後、残った遮水シート・保護マットは、人力によりカッターナイフで切断された後に除去されている。
【先行技術文献】
【特許文献】
【０００４】
【特許文献１】特開２０１３−１３０５４６号公報
【特許文献２】特開２０１３−１４５１１９号公報
【特許文献３】実用新案登録３２１００８０号公報
【発明の概要】
【発明が解決しようとする課題】
【０００５】
遮水シートに積層されている保護マットは土や水分を多く含むため、カッターナイフを使った人力による遮水シート・保護マットの切断作業は、困難を極め多大な時間と労力を必要とするため、効率的ではない。
【０００６】
しかしながら、カッターナイフを使った人力による遮水シート・保護マットの切断作業に代わって、人力によらない切断手段が見当たらないことから、人力による切断作業に頼らざるを得ないのが現状である。
【０００７】
そこで、本発明は、除染廃棄物仮置き場に敷かれた遮水シート・保護マットを人力によることなく、自走して効率よく切断していくことができる遮水シート・保護マット切断方法及び自走式遮水シート・保護マット切断装置を提供するものである。
【課題を解決するための手段】
【０００８】
本願の請求項１の発明は、除染廃棄物仮置き場に敷かれた遮水シート・保護マットを遮水シート・保護マット切断装置の回転刃を回転させて切断する遮水シート・保護マット切断方法であって、前記遮水シート・保護マットを前記切断刃の両側で押さえるとともに、前記回転刃を前記遮水シート・保護マットの切断方向に回転させて前進させながら前記遮水シート・保護マットを切断していくことを特徴とする遮水シート・保護マット切断方法である。
【０００９】
本願の請求項２の発明は、自走しながら除染廃棄物仮置き場に敷かれた遮水シート・保護マットを切断していく自走式遮水シート・保護マット切断装置であって、前記自走式遮水シート・保護マット切断装置が、クローラで自走する車体と、上下方向に回動可能に前記車体の前部に枢着支持される遮水シート・保護マット切断装置からなり、前記遮水シート・保護マット切断装置が、駆動装置で前記遮水シート・保護マットの切断方向に回転する回転刃と、前記遮水シート・保護マットの切断中に前記遮水シート・保護マットを上から押さえる押さえ部材を備えていることを特徴とする自走式遮水シート・保護マット切断装置である。
【００１０】
本願の請求項３の発明は、前記遮水シート・保護マット切断装置は、リンク機構により上下方向に回動可能に前記車体の前部に支持され、前記リンク機構が前記車体に立設されたシリンダーのピストンロッドに結合され、前記車体と前記遮水シート・保護マット切断装置に連結されるとともに前記遮水シート・保護マット切断装置を回動させて前記回転刃が前記遮水シート・保護マットを切断する高さに前記遮水シート・保護マット切断装置を回動させるリンク機構であることを特徴とする請求項1に記載の自走式遮水シート・保護マット切断装置である。
【００１１】
本願の請求項４の発明は、前記押さえ部材は、前記回転刃が入って回転可能な長孔を有することを特徴とする請求項１又は２に記載の自走式遮水シート・保護マット切断装置である。
【発明の効果】
【００１２】
本発明は、人力によることなく、自走しながら回転刃により遮水シート・保護マットを切断していくので、切断作業が人力のカッターナイフによる作業に比べて効率的となって、作業時間が大幅に短縮されるとともに、作業者の労力を大幅に軽減することができる。
【００１３】
本発明は、切断中に遮水シート・保護マットの両側を押さえ部材で押さえておくので、遮水シート・保護マットがめくれたり跳ねたりすることなく効率的に確実に切断していくことが可能となる。
【００１４】
本発明は、回転刃を高速回転させて切断するので、遮蔽材が被覆されたり、盛り土がされたりしている遮水シート・保護マットであっても容易に切断していくことができる。
【００１５】
本発明は、クローラで走行するので、除染廃棄物仮置き場に敷かれた遮水シート・保護マットの下の地面が軟弱な所であっても効率的に切断作業を行うことが可能となる。
【図面の簡単な説明】
【００１６】
【図１】本発明の自走式遮水シート・保護マット切断装置の概略側面図である。
【図２】本発明の自走式遮水シート・保護マット切断装置の概略正面図である。
【図３】本発明の自走式遮水シート・保護マット切断装置の切断作業を示す図である。
【図４】本発明の自走式遮水シート・保護マット切断装置の切断作業を示す概略平面図である。
【発明を実施するための形態】
【００１７】
本発明の実施例について図面を参照しながら説明する。
【実施例】
【００１８】
図１〜４において、本発明の自走式遮水シート・保護マット切断装置は、クローラ３で自走する車体１と、車体１に支持された、遮水シート・保護マットＳを切断する遮水シート・保護マット切断装置２で構成され、遮水シート・保護マット切断装置２は上下方向に回動可能に車体１の前部に枢着支持され、車体１が自走しながら遮水シート・保護マットＳを遮水シート・保護マット切断装置２で切断していく。
【００１９】
車体１は、クローラ３がゴム製のキャタピラなので、軟弱な地面であっても沈むことなく走行することが可能である。車体１の上には操作員の座る運転席が設けられている。
【００２０】
遮水シート・保護マット切断装置２は、遮水シート・保護マット切断装置２を上下方向に回動させるリンク機構４を備えている。リンク機構は、車体1上に立設されたシリンダー６のピストンロッド５の先端に枢着されるとともに、遮水シート・保護マット切断装置２の前部７に枢着されている。ピストンロッド５の上下動によりリンク機構４が遮水シート・保護マット切断装置２の前部７を上下動させて遮水シート・保護マット切断装置２を所定のレベルに支持する。
【００２１】
遮水シート・保護マット切断装置２は、駆動装置８で遮水シート・保護マットＳの切断方向に回転する回転刃９を備えている。回転刃９は危険防止のためにカバーで覆われている。また、遮水シート・保護マット切断装置２には、遮水シート・保護マットＳの切断中に回転刃９の両側で遮水シート・保護マットＳを上から押さえる押さえ部材１０が配置されている。押さえ部材１０で遮水シート・保護マットを押さえることにより、回転刃９で遮水シート・保護マットＳの切断中に、遮水シート・保護マットＳがめくれたり、あるいは、よじれたりすることなく、確実に切断することが可能となる。
【００２２】
押さえ部材１０の中央部には、回転刃９が入る長孔１１が形成されている。長孔１１に回転刃９が入ることにより、回転刃９は、押さえ部材１０に押さえられた遮水シート・保護マットＳの下側に抜けて遮水シート・保護マットＳがめくれたりよじれたりすることなく、切断していくことが可能となる。
【００２３】
次に、本発明の自走式遮水シート・保護マット切断装置による遮水シート・保護マット切断方法について説明する。
【００２４】
自走式遮水シート・保護マット切断装置を遮水シート・保護マットＳの端で停車させた後、シリンダーのピストンロッド５を上昇させることによりリンク機構４により遮水シート・保護マット切断装置２を回動させて回転刃９の先端が遮水シート・保護マットＳの下側に抜ける切断高さにするとともに、押さえ部材１０がシートを押さえるようにセットする。
【００２５】
セットが終了すると、回転刃９を回転させ、自走式遮水シート・保護マット切断装置を自走させていくと、遮水シート・保護マットＳは押さえられた状態で回転刃９により切断されていく。
【００２６】
こうして、回転刃９により遮水シート・保護マットＳを縦方向に処理し易い間隔をおいて帯状に切断していく。さらに必要に応じて、横方向に切断して取扱易い大きさにした後、切断した遮水シート・保護マットＳを剥がしていく。
【符号の説明】
【００２７】
１：車体
２：遮水シート・保護マット切断装置
３：クローラ
４：リンク機構
５：ピストンロッド
６：シリンダー
７：遮水シート・保護マット切断装置の前部
８：駆動装置
９：回転刃
１０：押さえ部材
１１：長孔
Ｓ：遮水シート・保護マット
【図１】
2019072830.tif 000003
【図２】
2019072830.tif 000004
【図３】
2019072830.tif 000005
【図４】
2019072830.tif 000006